(57)【要約】  本発明は、少なくとも１つの流体回路（１）を有する機能装置（１７）、特に医療用の機能装置に関し、これは、流体回路（１）の第１の部分（Ａ１）と、流体回路の、１つの第２の部分（Ａ２）との間に配置及び／又は具体化される、少なくとも１つの熱交換装置を備える。本発明は更に、平衡ユニット（４）、処理装置（３）、及び平衡方法に関する。【選択図】図２
2018512929.tif 000002
【特許請求の範囲】
【請求項１】
少なくとも１つの流体回路（１）、又はその１つの部分を有する、医療用の機能装置（１７）であって、前記機能装置（１７）、又は前記流体回路（１）は、少なくとも１つの熱交換装置（１９）を備えるか、又はこれに接続され、前記熱交換装置（１９）は、前記流体回路（１）の第１の部分（Ａ１）と、前記流体回路（１）の第２の部分（Ａ２）との間に配置され及び／又は設計される機能装置（１７）。
【請求項２】
前記熱交換装置（１９）が、前記流体回路（１）の前記第１の部分（Ａ１）の温度（Ｔ１´）と、前記流体回路（１）の前記第２の部分（Ａ２）の温度（Ｔ２´）とが平衡されるか又は等しくなるように、寸法決めされ、配置され、接続され、及び／又は設計され、又は前記熱交換装置（１９）が、前記関連する部分及び／又はその各部分を流れる流体の温度差が、少なくとも前記熱交換装置（１９）を出る前後に低減されるように、寸法決めされ、配置され、接続され、及び／又は設計される、請求項１に記載の機能装置（１７）。
【請求項３】
前記熱交換装置（１９）が、少なくとも１つの伝熱体を備え、前記流体回路（１）の少なくとも１つの部分が、前記伝熱体の少なくとも１つの部分に延びるか又は配置される、請求項１又は２に記載の機能装置（１７）。
【請求項４】
少なくとも前記熱交換装置（１９）が、個別の、代替可能な若しくは交換可能な装置として、及び／又は前記機能装置から解放可能な装置として、及び／又は使い捨ての用品として設計される、請求項１〜３のいずれか一項に記載の機能装置（１７）。
【請求項５】
少なくとも１つの流量センサ（Ｑ１、Ｑ２）に接続されるように若しくは接続可能に設計され及び／又は構成されるか、又は少なくとも１つの前記流量センサ（Ｑ１、Ｑ２）を備え、前記流量センサ（Ｑ１、Ｑ２）が、前記流体回路（１）の少なくとも１つの第１の部分（Ａ１）及び／又は１つの第２の部分（Ａ２）の、少なくとも１つの体積流量（Ｆ１、Ｆ２）を測定するために設計され及び／又は配置される、請求項１〜４のいずれか一項に記載の機能装置（１７）。
【請求項６】
前記流量センサ（Ｑ１、Ｑ２）が、磁気誘導式流量センサ、又はその一部として設計される、請求項５に記載の機能装置（１７）。
【請求項７】
前記流量センサ（Ｑ１、Ｑ２）が、少なくとも２チャネルの流量センサとして設計される、請求項５又は６に記載の機能装置（１７）。
【請求項８】
前記流量センサ（Ｑ１、Ｑ２）が、前記熱交換装置に配置され及び／又は設計されるか、又はその一部である、請求項５〜７のいずれか一項に記載の機能装置（１７）。
【請求項９】
前記機能装置（１７）が、配管系として、及び／又はカセットとして設計される、請求項１〜８のいずれか一項に記載の機能装置（１７）。
【請求項１０】
１回使用の用品として、及び／又は使い捨てとして設計される、請求項１〜９のいずれか一項に記載の機能装置（１７）。
【請求項１１】
流体回路（１）の第１の部分（Ａ１）の、少なくとも１つの、又は正確に１つの第１の体積流量（Ｆ１）と、前記流体回路（１）の第２の部分（Ａ２）の第２の体積流量（Ｆ２）との間に、少なくとも１つの流体平衡を決定する、平衡ユニット（４）であって、請求項１〜１０のいずれか一項に記載の少なくとも１つの機能装置（１７）を備え、及び／又は、少なくとも１つのこのような機能装置（１７）と、又はその部分と少なくともデータ通信する、平衡ユニット（４）。
【請求項１２】
少なくとも１つの流量センサ（Ｑ１、Ｑ２）に接続されるように若しくは接続可能に設計され及び／又は構成されるか、又は少なくとも１つの前記流量センサ（Ｑ１、Ｑ２）を備え、前記流量センサ（Ｑ１、Ｑ２）が、前記流体回路（１）の少なくとも前記第１の部分（Ａ１）及び／又は前記第２の部分（Ａ２）の、少なくとも１つの体積流量（Ｆ１、Ｆ２）を測定するために設計され及び／又は配置される、請求項１１に記載の平衡ユニット（４）。
【請求項１３】
流体回路（１）の第１の部分（Ａ１）の、少なくとも１つの、又は正確に１つの第１の体積流量（Ｆ１）と、前記流体回路（１）の第２の部分（Ａ２）の、１つの第２の体積流量（Ｆ２）との間に、少なくとも１つの流体平衡を生成する、少なくとも１つの評価ユニットを備え、及び／又は前記流体回路（１）の少なくとも１つの別の体積流量（Ｆ１、Ｆ２、ＵＦ）を制御及び／又は調整する、制御及び／又は調整装置（５）を備える、請求項１１又は１２に記載の平衡ユニット（４）。
【請求項１４】
前記評価ユニット、及び／又は前記制御及び／又は調整装置（５）が、処理装置（３）の一部であるか、又はこのような装置に配置される、平衡ユニット（４）。
【請求項１５】
請求項１１〜１４のいずれか一項に記載の少なくとも１つの平衡ユニット（４）を有し、及び／又は請求項１〜１０のいずれか一項に記載の少なくとも１つの機能装置（１７）を有する、医療用流体を処理するための医療用の処理装置（３）。
【請求項１６】
医療用の機能装置（１７）の流体回路（１）の第１の部分（Ａ１）の、少なくとも１つの第１の体積流量（Ｆ１）と、前記機能装置（１７）の前記流体回路（１）の第２の部分（Ａ２）の、少なくとも１つの第２の体積流量（Ｆ２）との間に、流体平衡（ＦＢ）を決定し、及び／又は前記機能装置（１７）の前記流体回路（１）の一部の、少なくとも１つの体積流量（Ｆ１、Ｆ２、ＵＦ）を制御及び／又は調整する方法であって、
請求項１〜１０のいずれか一項に記載の機能装置（１７）、及び／又は請求項１１〜１５のいずれか一項に記載の処理装置（３）を提供し、
前記流体回路（１）の前記少なくとも１つの第１の部分（Ａ１）の、少なくとも１つの第１の体積流量（Ｆ１）を決定又は設定し、
前記流体回路（１）の前記少なくとも１つの第２の部分（Ａ２）の、少なくとも１つの第２の体積流量（Ｆ２）を決定し、
前記第１の体積流量（Ｆ１）と、前記第２の体積流量（Ｆ２）との間に、流体平衡（ＦＢ）を生成することを少なくとも含み、
前記流体平衡（ＦＢ）は、前記流体回路（１）の少なくとも１つの体積流量（Ｆ１、Ｆ２、ＵＦ）、前記流体回路（１）の少なくとも１つのポンプのポンプ流量、及び／又は前記流体回路の少なくとも１つの部分の断面を、制御及び／又は調整するために用いられる、方法。
【発明の詳細な説明】
【技術分野】
【０００１】
本発明は、請求項１に記載の医療用の機能装置、請求項１１に記載の平衡ユニット、請求項１５に記載の医療用の処理装置、さらには請求項１６に記載の、流体流量を平衡させ、及び／又は少なくとも１つの体積流量を制御又は調整する方法に関する。
【背景技術】
【０００２】
医療、特に透析等の血液処理の分野において、患者は流体を供給され、及び／又は流体が患者から抜き出される。供給され抜き出される流体の量を正確に平衡させることは、患者の安全及び健康にとって極めて重要である。
【０００３】
平衡ユニットは、実際に平衡を達成するために用いられる。これは血液処理装置、例えば、透析装置に接続されてもよい。
【発明の概要】
【発明が解決しようとする課題】
【０００４】
本発明の目的は、別の平衡ユニット、及び流体の流量を平衡させる別の平衡方法を提供することである。また、医療用の機能装置、さらには医療用の処理装置が特定される。
【課題を解決するための手段】
【０００５】
本発明による医療用の機能装置によって達成可能な全て又は幾つかの利点はまた、本発明による方法、本発明による平衡ユニット、及び医療用の処理装置で、減ずることなく達成され得る。
【０００６】
本発明の目的は、請求項１、１１、１５、及び１６の特徴を有する装置及び方法によって達成される。
【０００７】
本発明によれば、医療用であることが好ましい機能装置が提案される。これは、少なくとも１つの流体回路、又は少なくとも１つのその部分を備えるか、又はこれらに接続される。
【０００８】
また、医療用の機能装置及び／又は流体回路は、少なくとも１つの熱交換装置を備えるか、又はこれらに接続される。これにより熱交換装置は、流体回路の２つの異なる部分間、特に第１の部分と第２の部分との間に、少なくとも配置され及び／又は具体化される。
【０００９】
平衡ユニットは特に、流体回路の第１の部分の、少なくとも１つの、又は正確に１つの第１の体積流量と、流体回路の第２の部分の、少なくとも１つの第２の体積流量との間に、少なくとも１つの流体平衡を決定するように提供及び具体化され、及び／又は構成される。これにより平衡ユニットは、本発明による機能装置を備え、及び／又は機能装置の少なくとも１つの部分、特に少なくとも１つの流量センサ、及び／又は血液ポンプ等の少なくとも１つのポンプとデータ通信してもよく、及び／又はこのようなものに接続され及び／又は接続可能である。
【００１０】
医療用流体を処理するために具体化され及び／又は構成される、本発明による医療用の処理装置は、本発明による少なくとも１つの平衡ユニット、及び／又は本発明による少なくとも１つの機能装置を備え、及び／又はこれらのうちの少なくとも１つに、好ましくは取り外し可能な、又は解放可能な方式で接続される。
【００１１】
本発明による方法は、特に流体回路の１つの第１の部分の、少なくとも１つの第１の体積流量と、特に流体回路の第２の部分の、少なくとも１つの第２の体積流量との間に、少なくとも１つの流体平衡を決定することに関する。
【００１２】
本発明による方法は、これに加えて、又はこれに代えて、機能装置の流体回路の少なくとも１つの部分の、少なくとも１つの体積流量の制御及び／又は調整（読みやすくするために、この用語は両方とも「制御」と呼ばれるが、随意により調整することも含む）に関する。本方法は、少なくとも本発明による機能装置を提供すること、及び／又は本発明による平衡ユニットを提供することを含む。
【００１３】
本方法は、例えば第１の部分又は第２の部分における、少なくとも１つの体積流量の決定を含む。
【００１４】
本方法では、第１の体積流量及び第２の体積流量から、少なくとも１つの流体平衡が形成される。
【００１５】
本方法では、少なくとも１つの流体平衡（本明細書ではＦＢと省略される）は、流体回路の少なくとも１つの体積流量、流体回路の少なくとも１つのポンプのポンプ流量、及び／又は流体回路の少なくとも１つの部分の断面を、制御及び／又は調整するために用いられる。
【００１６】
本発明の更に好適な展開が、従属するクレームの各主題である。
【００１７】
本発明による実施形態は、任意の組み合わせで、後述の特徴の一部又は全てを備え得る。
【００１８】
前述及び後述の実施形態の全てにおいて、「〜することができる、〜してもよい、〜され得る、〜する場合がある（ｍａｙ  ｂｅ）」又は「有することができる、有し得る、有してもよい、有する場合がある（ｍａｙ  ｈａｖｅ）」等の表現の使用は、各々「好ましくは〜である（ｐｒｅｆｅｒａｂｌｙ  ｉｓ）」又は「好ましくは〜を有する（ｐｒｅｆｅｒａｂｌｙ  ｈａｓ）」等の同意語として理解されるべきであり、本発明による実施形態を示すことが意図される。
【００１９】
本発明による実施形態は、これが当業者にとって明らかに技術的に不可能でない限り、以下の特徴の幾つか又は全てを任意の組み合わせで含むことができる。本発明の更に好適な展開は、対応する従属クレームの各主題でもあり得る。
【００２０】
本明細書で数値が示されている場合は常に、当業者はこれを数値の下限の表示として理解する。当業者にとって明らかな矛盾に繋がらない限り、当業者は暗黙のうちに、例えば、「１つの」という表示は、常に「少なくとも１つ」と理解するものとする。この理解もまた、当業者にとってこれが明らかに技術的に不可能でなければ、数値を表す語は、例えば「１つの」は代替的に「正確に１つの」を意味し得るという解釈として、本発明に等しく包含される。両方が本発明に包含され、本明細書において、使用される全ての数値に当てはまる。
【００２１】
本明細書でなされる「上部」「下部」等の空間的な表示は、不確かなときは、添付の図で見られる図解を参照されたい。
【００２２】
本明細書で「適切な」、「提供される」、「設計される」、「構成される」、及び／又は「プログラムされる」という表現が用いられるときは常に、当業者は、各装置の特定の実施形態を理解することができる。前述の表現は、本明細書では交換可能に用いられてもよい。
【００２３】
本発明は以降において、主に透析治療に関して説明されるが、本発明は、これに限定されない。
【００２４】
本明細書で用いられる「体積流量」という表現は、対応する時間に対して、所与の時間内に流体回路等の断面を通って移動した、流動した、又は流れた、流体の体積として理解されてもよい。体積流量は、例示的に、１分毎、又は１時間毎のｍｌで特定されてもよい。
【００２５】
本明細書で用いられる「質量流量」という表現は、流体の密度に体積流量を乗じたものと等しくてもよい。
【００２６】
本明細書で用いられる「決定する」という表現は、一般に、例えば記憶された、及び／又は設定若しくは調節された値を、測定すること、識別すること、読み取るか若しくは捕捉すること、及び／又は特に、既知の、記憶された、決定された、及び／又は事前設定若しくは調節された値からの計算であってもよい。
【００２７】
本発明による幾つかの特定の例示的実施形態では、「流体回路の部分」とは、流体回路、特に透析液及び／又は置換液回路の、特に第１の部分、又は第２の部分と理解されてもよい。
【００２８】
本発明による幾つかの例示的実施形態では、「流体回路の体積流量」は特に、流体回路、特に透析液及び／又は置換液回路の、第１の部分の体積流量、又は第２の部分の体積流量と理解されてもよい。
【００２９】
本発明による幾つかの例示的実施形態では、機能装置、特に医療用の、又は医療技術的な機能装置は、少なくとも１つの流体回路、特に、液体回路又はその部分等の、プロセス流体回路を備える。
【００３０】
本明細書で用いられる「流体回路」という表現は、流体システム、管セット、血液配管セット等を指し、それぞれ血液、置換液、透析液、及び／又はこれらの組み合わせ等のプロセス流体、薬液を受け、さらに、これらが通過するのに適切であり、そのように意図され及び／又は具体化される。プロセス流体は、洗浄、プライミング、置換、汚染物質の密度を減少又は低下させる等の処理の目的のために用いられてもよい。流体回路は、閉じた循環を許容又は可能にしてはならない。流体回路は、血液フィルタ等の少なくとも１つの濾過装置を備えても、及び／又は血液又は置換液ポンプ等の、少なくとも１つのポンプを備えてもよい。
【００３１】
本発明による幾つかの特定の例示的実施形態では、流体回路、又はその少なくとも一部は、少なくとも１つの流体、特に医療用流体を受けるように、及び／又は運ぶように提供され及び／又は設計される。
【００３２】
本発明による幾つかの特定の例示的実施形態では、機能装置は、少なくとも液体を運ぶ及び／又は導くのに適切であり、及び／又はそのように具体化された、少なくとも１つのチャネルを備える。
【００３３】
本発明による幾つかの特定の例示的実施形態では、流体回路は血液回路、特に、動脈血液回路及び／又は静脈血液回路、或いは透析液及び／又は置換液の回路である。
【００３４】
機能装置は、少なくとも１つの濾過装置、又はその少なくとも１つの部分を更に備えてもよく、これは、流体回路の内部、特に血液回路と少なくとも１つの透析液回路との間に配置される。濾過装置は、血液フィルタ又は透析装置であってもよい。
【００３５】
本発明による幾つかの例示的実施形態では、熱交換装置は、第１の部分の温度、特に流体回路の第１の部分を流れる流体の温度と、第２の部分の温度、特に流体回路の第２の部分を流れる流体の温度とが、予め決定可能な、予め定義された、調節可能な、及び／又は予め定義可能な、少なくとも限定された、或いは予め決定された時間内に、一致する、平衡される、又はほぼ等しいか同一になるように、寸法決めされ、配置され、接続され、及び／又は具体化される。
【００３６】
これに代えて、又はこれに加えて、本発明の幾つかの例示的実施形態では、各部分を流れる流体の温度差、及び／又は各部分の温度差は、熱交換装置を出る前後に、例えば、少なくとも約１０％、２０％、３０％、４０％、５０％、６０％以上、少なくとも低減される。
【００３７】
本明細書で用いられる「平衡させる、平衡されるか又は等しい」という表現によって、熱交換装置を出た後に関連する部分に存在する、又はそこを流れる、関連する部分及び／又は流体の温度は、等しいか又はほぼ等しいことが一般に理解されてもよい。これにより、特に熱交換装置を出る前後に各部分を流れる流体の温度差は、低減及び／又は平衡され得る。特に、流出温度の差は、例えば流入温度、又は初期温度の差よりも小さく、例えば著しく小さくてもよい。
【００３８】
例えば１０℃以下の温度差を有する温度は、「ほぼ」等しいと考えられてもよい。好ましくは、２℃以下の温度差、特に、１℃よりも著しく小さい温度差が達成される。当業者であれば、この仕様は、平衡回路の最大温度差に依存することを理解するであろう。好ましくは、最大の温度差は、約３０％〜７０％に縮小されるべきである。
【００３９】
本発明による幾つかの特定の例示的実施形態では、第１の部分は、機能装置の動作状態において、処理中等の機能装置の動作中は、特に流体の流れの方向に対して、血液フィルタ等の濾過装置の上流に配置される。これに代えて、又はこれに加えて、第２の部分は、機能装置の動作状態において、処理中等の機能装置の動作中は、特に流体の流れの方向に対して、血液フィルタ等の濾過装置の下流に配置されてもよい。
【００４０】
本発明による幾つかの例示的実施形態では、熱交換装置は、特に取り外し可能、代替可能、又は交換可能な方式で、流体回路の少なくとも第１の部分に、及び／又は少なくとも第２の部分に接続可能である、接続される、及び／又は配置される。
【００４１】
本発明による幾つかの例示的実施形態では、熱交換装置の少なくとも１つの部分は、流体回路の少なくとも１つの部分と一体的に具体化され又は形成される。
【００４２】
本発明による幾つかの特定の例示的実施形態では、熱交換装置は、特に、熱交換装置を通る方向において、流体の流れの方向に対して、流体回路の少なくとも１つの流量センサの前（即ちこの上流）の、流体回路の少なくとも１つの部分に配置され及び／又は具体化される。
【００４３】
本発明による幾つかの例示的実施形態では、流体回路及び／又は熱交換装置は、少なくとも１つのヒータを備える。
【００４４】
本発明による幾つかの例示的実施形態では、ヒータは、熱交換装置、流量センサ、又は濾過装置の前後で、動作中の流体の流れの方向に関連して配置される。
【００４５】
本発明による幾つかの特定の例示的実施形態では、熱交換装置は、少なくとも１つの、特に硬質部等の質量体を有する。
【００４６】
本発明による幾つかの例示的実施形態では、少なくとも１つのチャネル、流体回路の少なくとも１つの部分、及び／又は流量センサの少なくとも１つの部分、特に測定部は、質量体の中へと延びる。
【００４７】
本発明による幾つかの特定の例示的実施形態では、熱交換装置、又は少なくともその１つの部分は、少なくとも１つの、特に、金属又は金属合金、及びセラミック、セラミック充填プラスチック、又は薄壁を有するプラスチック等の良好な熱伝導物質を含むか、又はこのような材料の１つ若しくはこれらの組み合わせからなる。
【００４８】
本発明による幾つかの例示的実施形態では、少なくとも１つの流量センサの少なくとも１つの部分、及び／又は流体回路の少なくとも１つの部分、特に第１及び／又は第２の部分、例えば流量センサの測定部は、熱交換装置の伝熱体の少なくとも１つの部分を通って延びるか、又はここに設けられる。
【００４９】
本発明による幾つかの例示的実施形態では、流量センサの少なくとも１つの部分、及び／又は流体回路の少なくとも１つの部分は、挿入されたチャネルとして、好ましくは、断面が閉じたチャネルとして、又は片チャネル若しくは部分チャネル等の閉じていないチャネルとして、機能装置に、及び／又はその少なくとも１つの伝熱体に具体化される。
【００５０】
本発明による幾つかの特定の例示的実施形態では、少なくとも１つのチャネル、又は部分チャネルは、特に伝熱性の層によって、フィルム及び／又は薄板等の液密な層によって、及び／又は別のチャネルによって、外部に対して、又は別のチャネルに対してシールされてもよい。
【００５１】
本発明による幾つかの例示的実施形態では、硬質部等の２つの本体、特に伝熱体は、好ましくは少なくとも１つの伝熱手段、例えば熱伝導ペースト及び／又はプレートによって、再度互いに分離できるように互いに接続されるか、又は接続可能であってもよい。
【００５２】
本発明による幾つかの特定の例示的実施形態では、熱交換装置は、個別の、取り外し可能な、置換可能な、及び／又は交換可能な装置として、及び／又はカセット又はその一部等の、１回使用の用品又は使い捨てとして具体化される。
【００５３】
幾つかの実施形態では、機能装置は、少なくとも１つの流量センサを更に備える。これに代えて、又はこれに加えて、これは特に取り外し可能な方式で流量センサに接続されるように、及び／又は接続可能に構成され及び／又は具体化される。
【００５４】
本発明による幾つかの特定の例示的実施形態では、流量センサは、少なくとも１つの部分、特に流体回路の１つの第１の部分における、及び／又は１つの第２の部分における、少なくとも１つの体積流量の測定用に、又はこれを測定するために、具体化され及び／又は配置される。
【００５５】
本発明による幾つかの例示的実施形態では、機能装置、及び／又は流体回路の少なくとも１つの部分は、好ましくは、置換可能等の取り外し可能な方式で、少なくとも１つの流量センサの少なくとも１つの部分、例えば測定部に接続可能に、接続されて、及び／又は接続されるように、意図され及び／又は具体化される。
【００５６】
本発明による幾つかの特定の例示的実施形態では、その少なくとも１つの測定部であることが好ましい、流量センサの少なくとも１つの部分は、機能装置に、及び／又は流体回路に、又はその少なくとも１つの部分に一体化される、及び／又は一体的に具体化される。
【００５７】
本発明による幾つかの例示的実施形態では、流量センサは、流体回路の少なくとも２つの、好ましくは異なる部分で、少なくとも１つの体積流量を決定するように配置され及び／又は具体化される。
【００５８】
本発明による幾つかの例示的実施形態では、少なくとも１つの流量センサは、熱交換装置に配置され及び／又は具体化され、及び／又は熱交換装置の一部である。
【００５９】
本発明による他の例示的実施形態では、機能装置は、流量センサを備えていないか、又は１つのみ備える。例えば、流量センサは、特に本発明によれば、平衡ユニット又は血液処理装置等の、別の配置であっても又は装置の一部であってもよい。
【００６０】
本発明による幾つかの特定の例示的実施形態では、流量センサ、又はその少なくとも１つの部分は、電磁流量センサ、特に、磁気誘導式流量センサ（以降、短縮して「ＭＩＤ流量センサ」とも表される）であるか、又はこのようなものを備える。
【００６１】
本発明による幾つかの特定の例示的実施形態では、少なくとも１つの流量センサは、少なくとも２チャネルの流量センサであるか、又はこのようなものを備える。
【００６２】
本発明による幾つかの例示的実施形態では、本発明による機能装置及び／又は平衡ユニットは、配管系、配管セット、カセット、特に血液カセットとして具体化される。
【００６３】
本発明による幾つかの特定の例示的実施形態では、本発明による機能装置及び／又は平衡ユニットは、１回使用の用品、又は使い捨てとして具体化される。
【００６４】
本明細書で用いられる「一回使用の用品、又は使い捨て」という表現は、例えば、患者の体外血液処理方法では、医療用の機能装置は一回使用が意図されていると理解されてもよい。これは、使い捨て、一回使用の用品等として、提供され及び／又は市販されてもよい。
【００６５】
本発明による幾つかの特定の例示的実施形態では、機能装置、又は平衡ユニットは、流体回路の少なくとも２つの部分間に少なくとも１つの流体平衡を決定するための、少なくとも１つの評価ユニット若しくは評価装置を備えるか、又はデータ通信若しくは信号通信してこれに接続される。
【００６６】
本発明による幾つかの特定の例示的実施形態では、本発明による機能装置、及び／又は平衡ユニットは、流体回路の少なくとも１つの部分で、少なくとも１つの体積流量を制御及び／又は調整する、少なくとも１つの制御及び／又は調整装置（以降、簡略化するために制御装置と表されるが、調整装置であってもよい）を備える。
【００６７】
本発明による特定の例示的実施形態では、制御装置は、調整装置として具体化される。
【００６８】
本発明による幾つかの例示的実施形態では、制御装置によって制御される体積流量は、特に、流体回路の別の部分の体積流量、例えば、濾過装置を流れる体積流量であってもよい。体積流量は、例示的に限外濾過流量であってもよい。
【００６９】
本発明による幾つかの特定の例示的実施形態では、体積流量の調整及び／又は制御は、少なくとも流体平衡に基づいて、及び／又は少なくとも流体平衡を評価することに基づいて実施される。
【００７０】
本発明による幾つかの例示的実施形態では、少なくとも評価装置及び制御装置は、ユニットを形成する。
【００７１】
本発明による幾つかの特定の例示的実施形態では、評価装置及び／又は制御装置は、少なくとも互いと、少なくとも１つの流量センサと、少なくとも１つの処理装置と、及び／又は少なくともそのそれぞれの部分と、データ通信する。
【００７２】
本発明による幾つかの特定の例示的実施形態では、平衡は、医療用の処理装置、特に血液処理装置において、又は治療中、特に血液処理中に行われる。本発明による幾つかの特定の例示的実施形態では、これは当てはまらない。
【００７３】
「少なくとも１つの体積流量」という表現は、第１の体積流量及び／又は第２の体積流量、即ち第１の部分及び／又は第２の部分の体積流量として、本明細書では例示的に理解されてもよい。
【００７４】
本発明の幾つかの例示的実施形態では、流体平衡（本明細書では短縮してＦＢと呼ばれる）は、流体回路の少なくとも１つの体積流量、流体回路の少なくとも１つのポンプのポンプ流量、又は流体回路の少なくとも１つの部分の断面を制御及び／又は調整する、制御及び／又は調整装置用の信号として、及び／又は信号を生成するために用いられてもよい。
【００７５】
本発明による幾つかの特定の例示的実施形態では、流体平衡（ＦＢ）は、少なくとも１つの第１の体積流量（Ｆ１）、及び１つの第２の体積流量（Ｆ２）から形成されてもよい。
【００７６】
本発明による幾つかの例示的実施形態では、流体平衡（ＦＢ）は、以下の通りに形成され得る。
（式１）：ＦＢ＝Ｆ１−Ｆ２、又は
（式１´）：ＦＢ＝Ｆ２−Ｆ１
【００７７】
本発明による幾つかの特定の例示的実施形態では、流体平衡（ＦＢ）は、流体回路の体積流量を制御又は調整する、制御装置用の信号として、及び／又は信号を生成するために用いられる。本発明による幾つかの例示的実施形態では、特に、第１及び／又は第２の体積流量は、この目的のために増加され又は縮小されてもよい。
【００７８】
補正は、本発明による幾つかの例示的実施形態では、電気的な評価値から直接引き出される。このため、受信した評価値から生成される信号が、適切に補正される。
【００７９】
本発明による幾つかの例示的実施形態では、本発明による処理装置の制御及び／又は調整装置は、本発明による平衡ユニットと信号通信する。これは、本発明による方法の少なくとも１つの実施形態を実行するために、例えば本明細書で説明されるような、特にそれぞれに必要とされる装置に接続されて、構成され及び／又はプログラムされる。
【００８０】
本発明による幾つかの例示的実施形態では、体積流量は、特に流体回路の若しくはこれに接続された回路の少なくとも１つのポンプのポンプ流量、又は流体回路の若しくは１つの接続された回路の少なくとも１つの断面を、変更する及び／又は適合させることを介して制御され及び／又は調整される。
【００８１】
本発明による幾つかの例示的実施形態では、平衡ユニットは、少なくとも１つの流量センサと接続可能に具体化され及び／又は構成されるか、少なくともこのようなセンサを備えるか、又は少なくともこのようなセンサに接続される。流量センサは、これによって、流体回路の少なくとも第１の部分及び／又は第２の部分で、少なくとも１つの体積流量を測定するように具体化され及び／又は配置されてもよい。
【００８２】
本発明による幾つかの例示的実施形態では、少なくとも本発明による平衡ユニット、機能装置、又は処理装置は、特に、流体回路の異なる部分の少なくとも２つの体積流量間に少なくとも１つの流体平衡を形成する、評価ユニットを備える。
【００８３】
本発明による幾つかの特定の例示的実施形態では、少なくとも本発明による平衡ユニット、機能装置、又は処理装置は、流体回路の２つの部分間に少なくとも１つの流体平衡を決定する、少なくとも１つの評価ユニットを備える。
【００８４】
本発明による幾つかの例示的実施形態では、少なくとも本発明による平衡ユニット、機能装置、又は処理装置は、流体回路の少なくとも１つの、特に別の体積流量を制御及び／又は調整する、少なくとも１つの制御及び／又は調整装置を備える。
【００８５】
本発明による幾つかの特定の例示的実施形態では、少なくとも評価装置及び／又は制御装置は、機能装置に具体化されない又は配置されない。例えば、評価及び／又は制御装置は、処理装置に配置され又は具体化される。
【００８６】
本発明による医療用の処理装置は、本発明による幾つかの例示的実施形態では血液処理装置、特に、血液濾過装置、血液透析装置、血液透析濾過装置等の血液浄化装置であり、通常は透析装置、例えば緊急透析用、在宅透析用、又は腹膜透析用の装置である。これは、肝臓置換術（ｌｉｖｅｒ  ｒｅｐｌａｃｅｍｅｎｔ）用の方法を実行する装置、免疫吸着を実行する装置等であってもよい。
【００８７】
本発明による幾つかの例示的実施形態では、流体回路の一部の少なくとも１つの体積流量、特に第１の部分の第１の体積流量は、特に流体平衡を形成する前に調節される。
【００８８】
本発明による幾つかの例示的実施形態では、少なくとも調節された又は設定された体積流量の値、及び／又は調節され又は設定された及び／又は記録された温度の値は、少なくとも一時的に記憶され及び／又は維持される。
【００８９】
処理装置、平衡ユニット、及び／又は機能装置の、それぞれの制御及び／又は調整装置の幾つか、全て、又は一部のみは、特に、本発明による方法を実行するための、及び／又は血液ポンプ、限外濾過ポンプ等を制御及び／又は調整するための、本発明による装置をそれぞれ備えてもよい。各調整及び／又は制御装置は、これに代えて、又はこれに加えて、それぞれこれらの装置と少なくとも信号通信してもよい。
【００９０】
本発明による幾つかの例示的実施形態では、平衡ユニット及び／又は医療用の処理装置は、本発明による方法を実行するように具体化され及び／又は構成される。
【００９１】
本発明による幾つかの例示的実施形態では、本方法は、本発明による機能装置、本発明による平衡ユニット、及び／又は本発明による血液処理装置と関連して実行される。
【００９２】
本発明による幾つかの例示的実施形態では、機能装置、平衡ユニット、及び／又は処理装置は、秤及び／又は平衡室、特に、非理想的な硬質の平衡室を備えていない。
【００９３】
本発明による幾つかの例示的実施形態では、本方法は、重量監視を有さず、及び／又は限外濾過流量はセンサで、特にＭＩＤセンサで直接測定されることはない。
【００９４】
本発明による幾つかの特定の例示的実施形態では、機能装置は、体外での一時貯蔵用の血液容器を備えておらず、好ましくは、筒状体を有する血液容器がない。
【００９５】
本発明による幾つかの例示的実施形態では、機能装置は、空気分離装置を含まない。
【００９６】
本発明による幾つかの特定の例示的実施形態では、機能装置は、空気分離装置に一体化され得る、温度制御部品を備えていない。
【００９７】
本発明による幾つかの例示的実施形態では、機能装置は、ペルチエ素子を含まない。
【００９８】
本発明による幾つかの特定の例示的実施形態では、機能装置は、１つ以上の搬送装置、特にポンプ室を備えていない。
【００９９】
本発明による幾つかの例示的実施形態では、機能装置は、流水式ヒータ、特に複数の流水式ヒータを備えていない。
【０１００】
本発明による幾つかの特定の例示的実施形態では、機能装置は、温度制御システム、特に温度を制御するための電気的制御を備えていない。
【０１０１】
本発明による幾つか又は全ての実施形態は、前述及び／又は後述の利点の１つ、幾つか、又は全てを示し得る。
【０１０２】
本発明による方法を用いて達成可能な全ての利点は、やはり本発明による装置によって、本発明による幾つかの実施形態において減ずることなく達成され得る。
【０１０３】
本発明による幾つかの実施形態では、好適には、正確な平衡が可能になる。
【０１０４】
これは好適には、空間及び費用を同時に節約しながら行われ得る。
【０１０５】
体外血液処理中は、例えば体外の血液の熱損失を平衡させるために、ヒータ又は複数のヒータが挿入されてもよい。これは、特に体外血液回路だけでなく、残りの流体回路においても、使用済みの液体の複雑な温度変化を引き起こす場合がある。したがって、平衡させるために使用された又は供給された流体は、通常は互いに温度が異なる。温度差は、流体の体積に影響を及ぼす場合があるため、温度は体積のみならず、平衡にも影響を及ぼす場合がある。体積に及ぼす温度の影響が考慮されないときは、平衡が誤って判断される可能性がある。
【０１０６】
ＭＩＤ流量センサで行われた測定は、体積流量の測定である。流体の密度は、温度に依存する。したがって、体積流量、及びこれに対応する質量流量は、温度に依存する。本発明による幾つかの特定の実施形態では、しかしながら、平衡される流体に温度が及ぼす影響とは無関係に、好適に平衡が達成される。
【０１０７】
さらに、本発明による幾つかの実施形態では、温度依存の、幾何学的変化及び／又は容量変化から生じる誤差が回避される。
【０１０８】
本発明による幾つかの特定の実施形態では、温度依存の誤差、特に幾何学的誤差及び／又は密度誤差が、好適には補償される。
【０１０９】
本発明による幾つかの実施形態では、温度差によって生じる、平衡による誤差は、少なくとも係数によって１０倍以上低減され得る。
【０１１０】
本発明による幾つかの例示的実施形態では、限外濾過流量の測定が好適には回避され、その結果として、限外濾過流量を測定する測定センサが不要になる。
【０１１１】
本発明による幾つかの特定の例示的実施形態では、特に、一回使用の用品としての、平衡ユニット及び／又は熱交換装置の、機能装置の実施形態では、連続的な処理中の微生物の増殖が遮断され得る。また、消毒のための特定の処置をとる、又はこれを必要とすることなく、１人の患者から、同一の処理装置で処置される次の患者への感染の伝播の増加が更に低減される。
【０１１２】
本発明による幾つかの実施形態では、好適には、少なくとも１つの温度センサ、又は全ての温度センサが不要になり得る。本発明による方法は、１つの温度センサで、又は温度センサなしで、等しく実行され得る。
【０１１３】
本発明による幾つかの実施形態では、好適には、少なくとも１つのヒータ、又は全てのヒータが不要になり得る。本発明による方法は、１つ又は幾つかのヒータを用いて、又はヒータなしでも等しく実行され得る。
【０１１４】
図において、同一の参照符号は、同様又は同一の構成要素を表す。
【図面の簡単な説明】
【０１１５】
【図１】本発明による処理装置の流体回路を簡略化した図で示す。
【図２】２つの流量センサを有する、本発明による第１の例示的な機能装置を極めて簡略化した図で示す。
【図３】本発明による別の機能装置を有する、処理装置の例示的な配置を極めて簡略化した図で示す。
【図４】本発明による別の機能装置を極めて簡略化した図で示す。
【図５】本発明による別の機能装置を極めて簡略化した図で示す。
【図６】本発明による更に別の機能装置を極めて簡略化した図で示す。
【発明を実施するための形態】
【０１１６】
図１は、本発明による処理装置３に流体連通して接続された流体回路１の一部を極めて簡略化した図で示し、少なくとも部分的に処理装置３の一部である、又はそのことが概略的に描かれ若しくは示されている。処理装置３は、本発明による平衡ユニット４に接続されるか、又はこれを備える。処理装置３、又は平衡ユニット４は、患者の処置を行う目的でポンプ、弁等を制御又は調整する、制御又は調整装置５に更に接続されるか、又はこれを備える。平衡ユニット４は、２つの流量センサＱ１、Ｑ２に、又は少なくとも１つの２チャネル流量センサに更に接続されるか、又はこれを備える。示されている例では、流量センサは処理装置３の一部としては示されていない。或いは、両方又は少なくとも１つの流量センサは、処理装置の一部として設計されてもよく、又はこれに配置されるか、若しくは取り付けられてもよい。
【０１１７】
平衡ユニット４は、例示的に図１に示すように、随意により制御又は調整装置５を備えてもよく、又はこれと信号通信してもよい。
【０１１８】
図１及び以降の全ての図に示す処理装置３は、単に例示的に限外濾過装置として設計され、流体回路１は、体外血液処理用の回路として設計される。この前提は両方とも、具体的な例に関して本発明をよりよく理解するためにのみ役立ち、決して本発明を限定するものではない。
【０１１９】
流体回路１は、体外血液回路６と透析液回路７とを含み、これは単に例示的に、フィルタ又は濾過装置９によって、物質交換及び流体交換の両方を行う。矢印は、処理装置３による、図示されていない患者の処置中の異なる流体の流れの方向を表す。
【０１２０】
患者の血液は、動脈血液ライン６ａを通って体外血液回路６に流入して濾過装置９に至り、そこで浄化される。浄化された血液は、静脈血液ライン６ｂを通して患者に戻される。血液ライン６ａ、６ｂは、対応するホースクランプを備えてもよい。
【０１２１】
置換液又は透析液回路であってもよく、透析液ライン７ａと透析液ライン７ｂとを備える透析液回路７では、簡便にするために、第１のポンプ１５と第２のポンプ１６とが、透析液回路７において特定の体積流量を生成するために配列され又は配置されてもよい。ポンプ１５、１６は、破線で示すように、随意によりそれぞれが制御又は調整装置５と信号通信してもよい。
【０１２２】
透析液回路７は更に、流体回路１の第１の部分Ａ１と第２の部分Ａ２との間に配置され、両方の部分の熱平衡又は補償を可能にし、及びこれを生じさせる、熱交換装置１９を備える。
【０１２３】
血液回路６もまた、図には示されていないが、随意により、血液を運ぶための少なくとも１つのポンプを備えてもよく、このポンプもまた、例示的に制御又は調整装置５と信号通信する。
【０１２４】
図１では、全くの随意選択で生じる限外濾過を矢印で示し、血液回路６からくる流体は、流量又は体積流量ＵＦ（限外濾過）で、フィルタ９を通って透析液回路７の中に入る。限外濾過流量ＵＦは、制御又は調整装置５、及び各ポンプ、例えば、第１のポンプ１５、第２のポンプ１６、及び／又は図示されていない血液ポンプによって、設定、調節、又は制御及び／又は調整されてもよい。
【０１２５】
図１の配置は、それぞれにプログラムされた平衡ユニット４、及び／又はそれぞれにプログラムされた制御又は調整装置５により、本発明による方法を実行するのに適切である。
【０１２６】
図１に示すポンプ１５、１６、及び少なくとも図示されていない血液ポンプは、簡略化するために、以降の図に繰り返し図示されることはない。しかしながら、変更されることなく後述の実施形態で提供されてもよい。
【０１２７】
図２は、透析液回路７の部分、及び全くの随意選択で血液回路６の部分も有する、本発明による機能装置１７を極めて簡略化した図で示す。機能装置１７は、通常はフィルタ９を含まないが、これに流体連通して接続されてもよい。
【０１２８】
透析液回路７の第１の部分Ａ１において、透析液回路７は、第１の流量センサＱ１を備えるか、又はこれに接続される。第２の部分Ａ２において、透析液回路７は、少なくとも第２の流量センサＱ２を備えるか、又はこれに接続される。第１の流量センサＱ１及び／又は第２の流量センサＱ２は、随意により、本発明による機能装置１７の一部になる。
【０１２９】
第１の部分Ａ１は、例示的に透析液ライン７ａに配置され、第２の部分Ａ２は、例示的に透析液ライン７ｂに配置される。
【０１３０】
随意により濾過装置９の上流に配置される、第１の部分Ａ１から流出する流体の温度は、Ｔ１´で表されるものとする。
【０１３１】
第１の部分Ａ１に入る、又は流入する流体の温度は、Ｔ１で表されるものとする。
【０１３２】
第２の部分Ａ２から流出する流体の温度は、Ｔ２´で表されるものとする。第２の部分Ａ２は、随意により濾過装置９の下流に配置される。
【０１３３】
第２の部分Ａ２に入る、又は流入する流体の温度は、Ｔ２で表されるものとする。
【０１３４】
温度Ｔ１は、全くの随意選択で提供され又は意図される、温度センサＳ１によって決定されてもよい。しかしながら温度センサＳ１は特に、温度Ｔ１が既知であるか、又は推定され得るときには必要とされない。温度センサＳ１は、温度Ｔ１が既知であるか、又は推定され得るときには、その使用はそれぞれ不要である。例えば、幾つかの特定の処理状況では、流体が第１の部分Ａ１に流入する温度Ｔ１は、流体が流体供給源で有する温度と一致することが、十分に良好な近似値で推測され得る。
【０１３５】
温度Ｔ２は、これも全くの随意選択で提供され又は意図される、温度センサＳ２によって決定されてもよい。しかしながら温度センサＳ２は特に、温度Ｔ２が既知であるか、又は推定され得るときには必要とされない。実際に、例えば、濾過装置９から流出するときは、用いられる透析液が示す温度変化は小さい。一般に、濾過装置９から放出される流体の温度は、体温（約３７℃）の範囲内で変化する。したがって、幾つかの特定の処理状況では、Ｔ２が患者の体温と一致することが、十分に良好な近似値で推測され得る。
【０１３６】
図２において破線で示されているように、センサＱ１、Ｑ２、及び必要な場合はＳ１及び／又はＳ２は、好ましくは、制御又は調整装置５、評価装置、及び／又は平衡ユニット４と信号通信する。
【０１３７】
以降の図と同様に、図１及び図２に基づく図３は、本発明による別の例示的実施形態における機能装置１７を極めて簡略化した図で示す。機能装置１７は、図２のものとほぼ一致する。
【０１３８】
図３は、第１の流量センサＱ１もまた不要な場合があることを更に示している。これはやはり、第１の流量Ｆ１が既知であるか、又は推定され得るときの事例である。例えば、特にこの目的に適った装置、例えば、ポンプ、制御又は調整装置、及び／又は入力装置によって、少なくとも第１の体積流量Ｆ１又は第２の体積流量Ｆ２が、調節可能な及び／又は設定可能な場合の事例であってもよい。
【０１３９】
図３の実施形態の特定の特徴によれば、第１の部分Ａ１の流量センサＱ及び／又は温度センサＳ１、及び／又は第２の部分Ａ２の温度センサＳ２は必要なく、有用な箇所で本発明の他の実施形態と結合可能である。
【０１４０】
図４は、本発明による機能装置１７の別の実施形態を極めて簡略化した図で示す。
【０１４１】
機能装置１７は、随意により、第１の流量センサＱ１及び第２の流量センサＱ２を備える。機能装置１７は義務的に、少なくとも１つの熱交換装置１９を備えるか、又はこれに接続される。
【０１４２】
随意により設けられる第１のセンサＱ１は、流体回路１の、置換液又は透析液回路７の第１の部分Ａ１に、好ましくは透析液ライン７ａに配置される。随意により設けられる第２の流量センサＱ２は、流体回路１の、置換液又は透析液回路７の第２の部分Ａ２に、好ましくは透析液ライン７ｂに配置される。
【０１４３】
第１の部分Ａ１は、全くの随意選択で、濾過装置９（例えば血液フィルタ）の上流に配置され、第２の部分Ａ２は、全くの随意選択で、濾過装置９の下流に配置される。この例では、第１の部分Ａ１と、第２の部分Ａ２とは、随意により、それぞれ濾過装置９と流体連通する。
【０１４４】
熱交換装置１９は、第１の部分Ａ１を流れる流体と、第２の部分Ａ２を流れる流体との間で熱又は熱エネルギーを交換するために、血液処理中の流体の流れの方向に関連して配置され、この方向は矢印で示されている。
【０１４５】
特に、熱交換装置１９は、随意により第１の流量センサＱ１の上流に配置され、第１の流量センサＱ１自体は、濾過装置９の上流に配置される。熱交換装置１９は同時に、随意により第２の流量センサＱ２の上流に配置され、第２の流量センサＱ２は、やはり濾過装置９の下流に配置される。
【０１４６】
熱交換装置１９は、随意により、第１の部分Ａ１及び／又は第２の部分Ａ２の一部、特にその一体的な部分であってもよく、及び／又は随意により、特に熱的に、第１の部分Ａ１及び／又は第２の部分Ａ２に単に接続されてもよい。
【０１４７】
熱交換装置１９は、第１の部分Ａ１を流れる流体と、第２の部分Ａ２を流れる流体との間で熱交換を行うために提供され、これに適切であり、及び／又はそのように設計される。
【０１４８】
熱平衡とは、熱交換装置１９から出て、第１の流量センサＱ１の前、又は第１の流量センサＱ１にあり、さらに特に濾過装置９の前にある流体の温度Ｔ´と、熱交換装置１９を通過した後に流出し、第２の流量センサＱ２の前、又は第２の流量センサＱ２にある流体の温度Ｔ２´との間の差が、ゼロ又はほぼゼロであることを意味する。また、本発明によれば、上述の差は、いずれの場合も、流体又は複数の流体が、熱交換装置１９に入る前にそれぞれ有していた温度Ｔ１とＴ２との間の差よりも小さいことも理解されよう。
【０１４９】
本発明によれば、例えば少なくとも１つの温度センサ（図示せず）によって、温度Ｔ１及び／又は温度Ｔ２を検知すること、及び／又は特にヒータ等の適切な装置によって、温度Ｔ１及び／又は温度Ｔ２を設定又は調節することが更に意図されてもよい。
【０１５０】
図５は、本発明による機能装置の更に別の例示的実施形態を極めて簡略化した図で示す。
【０１５１】
熱交換装置１９、及び流量センサＱ１及びＱ２の配置は、基本的に図４のものと一致する。熱交換装置１９の流量センサＱ１及びＱ２は、したがって、図４のように、それぞれ例示的に、（医療用流体の）流体の流れの方向に対して下流に配置される。
【０１５２】
同様に、熱交換装置１９は、熱交換装置１９の後に、特に直接的に、下流にそれぞれ配置された部分間に熱平衡をもたらすように、提供され及び／又は配置される。
【０１５３】
参照符号１９´で表される部分は、除去可能な若しくは取り外し可能な部分として、又は機能装置１７から除去されてもよいセクタ若しくは挿入部として設計されてもよい。この除去可能部分１９´は、少なくとも熱交換装置１９を特に含む。また、この除去可能部分１９´は、例示的に図示されているように、全くの随意選択で、少なくとも１つ若しくは両方の流量センサＱ１、Ｑ２、又は少なくともその部分を含んでもよい。
【０１５４】
除去可能部分１９´は、全くの随意選択で、１回使用の用品として、又は使い捨てとして設計されてもよい。本発明による各実施形態の機能装置１７にも同じことが当てはまり得る。
【０１５５】
除去可能部分１９´は、全くの随意選択で、少なくとも１つの固形体、特に、高熱伝導性の本体、例えば、金属製の硬い部分を有してもよく、流体回路７の各部分Ａ１、Ａ２がここに延びる。
【０１５６】
流体回路７の各部分Ａ１、Ａ２の両方は例示的に、熱交換装置１９内で、薄い、特に液密な膜及び／又は板を介して互いに離間されてもよい。
【０１５７】
また、この事例では、全くの随意選択で、特に、流体が部分Ａ１、Ａ２を流れる、２つの流量Ｆ１及び／又はＦ２のうちの少なくとも１つが、既に設定されている、及び／又は調節可能なときは、流量センサＱ１又はＱ２を１つのみ用いるように意図されてもよい。
【０１５８】
図６は、本発明による機能装置１７の更に別の実施形態を極めて簡略化した図で示す。これによれば、図５の除去可能部分１９´、又は機能装置１７の別の部分の配置及び／又は設計は、少なくとも１つのヒータＨｉ（ｉ＝１、２）を更に備えてもよい。
【０１５９】
ヒータＨｉは、特に流体回路１の第１の部分Ａ１に配置されてもよい。
【０１６０】
示されている例では、２つのヒータＨ１及びＨ２が図示されている。この２つは例示的に、第１の部分Ａ１に配置され及び／又は設計される。第１のヒータＨ１は、例として、除去可能部分１９´の上流、又は前に配置され、第２のヒータＨ２は、例として、除去可能部分１９´の下流又は後に配置される。両方のヒータＨ１、Ｈ２は、単に例示的に、機能装置１７の一部ではない。しかしながらこれらは、少なくとも部分的にはそうであってもよい。流量センサＱ１、Ｑ２の両方は、単に例示的に、機能装置１７の一部ではない。これらは、単に例示的に、平衡ユニット４及び／又は処理装置３の一部であってもよい。
【０１６１】
本発明によれば、流体回路１にヒータＨ１又はＨ２を１つのみ提供することが意図されてもよい。
【０１６２】
また、特に流体回路１の第１の部分Ａ１にある少なくとも１つのヒータＨｉは、熱交換装置１９の上流又は前に、及び／又は流量センサ（図示せず）の下流又は後に配置されることが意図されてもよく、流量センサは、熱交換装置の下流又は後に配置される。
【０１６３】
本発明による機能装置１７の、別の図示されていない実施形態では、ヒータＨｉは、全くの随意選択で、それぞれ熱交換装置１９、除去可能部分１９´、又は少なくともその部分に、及び／又は少なくともこれと接続して、設計され及び／又は配置されてもよい。
【０１６４】
ヒータは、流体の所定の最低温度を保証するように、又は確保するように設計され得る。したがって、幾つかの実施形態では、温度の測定は、好適には完全に不要になり得る。
【０１６５】
ヒータは、図６に示すように、前述の図に示す実施形態の配置に組み合わせられてもよいことは言うまでもない。
【０１６６】
図のうちの１つの配置、及び平衡ユニット４の特定の構成によって、正しい流体平衡が生成され得る。これに代えて、又はこれに加えて、限外濾過流量は、制御及び／又は調整装置５によって、適合され又は調節されてもよい。
【符号の説明】
【０１６７】
１  流体回路
３  血液処理装置
４  平衡ユニット
５  制御又は調整装置
６  血液回路
６ａ  動脈血液ライン
６ｂ  静脈血液ライン
７  透析液及び／又は置換液回路
７ａ  透析液ライン
７ｂ  透析液ライン
９  フィルタ又は濾過装置
１５  第１のポンプ
１６  第２のポンプ
１７  機能装置
１９  熱交換装置
１９´  機能装置の除去可能な部分
Ａ１  透析液及び／又は置換液回路の第１の部分
Ａ２  透析液及び／又は置換液回路の第２の部分
Ｑ１  第１の流量センサ
Ｑ２  第２の流量センサ
Ｓ１  温度センサ
Ｓ２  温度センサ
Ｆ１  流体回路の第１の部分の第１の体積流量
Ｆ２  流体回路の第２の部分に流入する第２の体積流量
Ｈｉ（ｉ＝１，２，．．．）  ヒータ
【図１】
2018512929.tif 000003
【図２】
2018512929.tif 000004
【図３】
2018512929.tif 000005
【図４】
2018512929.tif 000006
【図５】
2018512929.tif 000007
【図６】
2018512929.tif 000008
【国際調査報告】
2018512929.tif 000009
2018512929.tif 000010
2018512929.tif 000011
2018512929.tif 000012
2018512929.tif 000013
2018512929.tif 000014
2018512929.tif 000015
2018512929.tif 000016